(57)【要約】      （修正有）【課題】接着片と表示片との間に支持片を備えた付箋紙において、収納袋用の台紙に貼り付ける必要がなくなり、安価に提供できる付箋紙を提供する。【解決手段】接着片２と表示片４との間に支持片３を備えた紙片１を形成し、表示片と接着片の接着剤５側とが同じ面を向いた付箋紙において、接着片の接着剤側にカバー体６を接着する。カバー体は接着片と同じ形状であり、支持片の上に一部重なる剥離部６Ａが設けられている。カバー体の表面に表示部６Ｂが形成されていてもよい。【選択図】図１
0003205513.tif 000002
【実用新案登録請求の範囲】
【請求項１】
接着片と表示片との間に支持片を備えた紙片にて構成され、表示片の表側と接着片の接着剤塗布側とが同じ面を向いた付箋紙において、接着片の接着剤側に該接着剤の塗布面を被覆するカバー体を接着したことを特徴とする付箋紙。
【請求項２】
前記カバー体は、接着片と同じ形状に形成され、前記支持片の上に一部重なる剥離部を設けた請求項１記載の付箋紙。
【請求項３】
前記カバー体の表面に表示部を形成し、該カバー体を広告媒体として設けた請求項１記載の付箋紙。
【考案の詳細な説明】
【技術分野】
【０００１】
本考案は、接着片と表示片との間に支持片を備え、支持片先端の表示片がゆらゆら揺れるように壁面等に接着することができる付箋紙に関する。
【背景技術】
【０００２】
従来の付箋紙は、裏面に接着層を設けた複数の紙片を重ね、最も下に位置する紙片に台紙を張り付けたものが使用されている（特許文献１）。そして、上部から紙片を一枚ずつ剥して、別の箇所に貼り付けるものである。
【０００３】
一方、接着片と表示片との間に支持片を備え、表示片がゆらゆら揺れるように接着する付箋紙も提供されている。この付箋紙は、支持片を介して接着片と表示片とを別々に形成し、これらを支持片で一体に連結したものである。
【０００４】
このような付箋紙では、表示片の表側と接着片の接着剤側とは同じ面を向いており、接着片を上方から後方に曲げて壁面等に接着すると、支持片の先端側で表示片がゆらゆら揺れるように支持されるので、人目を惹き易い効果がある。
【先行技術文献】
【特許文献】
【０００５】
【特許文献１】実用新案登録第３０６２５４９号公報
【考案の概要】
【考案が解決しようとする課題】
【０００６】
接着片と表示片との間に支持片を備えた付箋紙では、表示片の表面と接着片の接着面とは同じ方向を向いているので、この付箋紙を袋に収納する際に、従来では収納袋用の台紙１０の裏側に接着片を接着している（図５参照）。そして、この台紙１０ごと袋内部に収納するものであった。
【０００７】
そのため、付箋紙を収納するには、常に袋用の台紙１０が必要になっていたので、製造コストが嵩む不都合がある。しかも、このような付箋紙を収納する袋は、台紙１０を収納できるものに限定される不都合もあった。
【０００８】
そこで本考案は、上述の課題を解消すべく案出されたもので、接着片と表示片との間に支持片を備えた付箋紙において、収納袋用の台紙に貼り付ける必要がなくなり、任意の収納袋内に収納することができる付箋紙の提供を目的とするものである。
【課題を解決するための手段】
【０００９】
上述の目的を達成すべく本考案における第１の手段は、接着片２と表示片４との間に支持片３を備えた紙片１にて構成され、表示片４の表側と接着片２の接着剤５塗布側とが同じ面を向いた付箋紙において、接着片２の接着剤５側に該接着剤５の塗布面を被覆するカバー体６を接着したことにある。
【００１０】
第２の手段において、前記カバー体６は、接着片２と同じ形状に形成され、前記支持片３の上に一部重なる剥離部６Ａを設けたものである。
【００１１】
第３の手段は、前記カバー体６の表面に表示部６Ｂを形成し、該カバー体６を広告媒体として設けたものである。
【考案の効果】
【００１２】
本考案の請求項１によると、接着片２と表示片４との間に支持片３を備えた紙片１にて構成され、表示片４の表側と接着片２の接着剤５塗布側とが同じ面を向いた付箋紙において、接着片２の接着剤５側に接着片２と同じ形状のカバー体６を接着したことにより、従来のような袋用の台紙１０を設ける必要はなくなり、安価な提供が可能になった。
【００１３】
請求項２のごとく、カバー体６は、接着片２と同じ形状に形成され、支持片３の上に一部重なる剥離部６Ａを設けたことで、カバー体６を剥がす際に、剥離部６Ａに指を掛けることができるので、極めてめくり易い構成になっている。
【００１４】
請求項３のように、カバー体６の表面に表示部６Ｂを形成し、該カバー体６を広告媒体として設けたことで、このカバー体６に商品案内や広告を掲載することが可能になった。
【００１５】
このように本考案によると、接着片と表示片との間に支持片を備えた付箋紙において、収納袋用の台紙を設ける必要がなくなり、しかも、任意の収納袋内に収納することができるといった当初の目的を実現した。
【図面の簡単な説明】
【００１６】
【図１】本考案の一実施例を示す分解斜視図である
【図２】本考案の一実施例を示す斜視図である
【図３】本考案の一実施例を示す側面図である。
【図４】本考案の使用例を示す斜視図である。
【図５】従来の収納状態を示す斜視図である。
【考案を実施するための形態】
【００１７】
以下、本考案の実施例を説明する。本考案付箋紙は、接着片２と表示片４との間に支持片３を備えた紙片１にて構成されたもので、複数枚の紙片１が積み重なり、最上位の紙片の接着剤５にカバー体６を接着したものである（図３参照）。紙片１の材質は、紙材の他、合成樹脂材を使用することも可能である。
【００１８】
表示片４の表側と接着片２の接着剤５塗布側とは同じ面を向いている（図１参照）。そのため、接着片２を上方から後ろ向きに曲げて壁面等に接着すると、支持片３の先端側で表示片４がゆらゆら揺れるように支持されるものである（図４参照）。
【００１９】
そして、接着片２の接着剤５側に該接着剤５の塗布面を被覆するカバー体６を接着する（図１参照）。図示のカバー体６は、接着片２と同じ形状に形成され、支持片３の上に一部重なる剥離部６Ａを設けたものである。この結果、カバー体６を剥がす際に、剥離部６Ａに指を掛けることができる（図２参照）。
【００２０】
また、カバー体６を接着片２と同じ形状に形成することで、接着片２にカバー体６を接着した形状と、カバー体６を外した形状とが同じ形状になる（図２参照）。したがって、複数枚積層した最上位の紙片１にカバー体６を接着することで、紙片１を積層したままの状態で携帯し、収納することが可能になる。
【００２１】
更に、カバー体６の表面に、表示部６Ｂを形成している（図１参照）。そして、この表示部６Ｂに商品案内や広告などを表示することで、カバー体６を広告媒体として使用することができる。
【００２２】
本考案付箋紙を使用する場合、最上位の紙片１の接着片２に接着されているカバー体６を外すと共に、最上位の紙片１を１枚剥がして使用する（図１参照）。外したカバー体６は、残る紙片１の最上位の接着片２に再び接着する（図２参照）。
【００２３】
更に、剥がした紙片１の接着片２を上方から裏向きに曲げて壁面やパソコン画面等に接着すると、支持片３の先端で表示片４がゆらゆら揺れる付箋として使用することができる（図４参照）。また、書籍やノートの適位置に貼り付けることで一般の付箋としても使用可能である。
【００２４】
尚、本考案は、図示例に限定される物ではなく、本考案の紙片１、接着片２、支持片３の形状や材質等は、本考案の要旨を変更しない範囲において自由に変更できるものである。
【符号の説明】
【００２５】
１  紙片
２  接着片
３  支持片
４  表示片
５  接着剤
６  カバー体
６Ａ  剥離部
６Ｂ  表示部
１０  台紙
【図１】
0003205513.tif 000003
【図２】
0003205513.tif 000004
【図３】
0003205513.tif 000005
【図４】
0003205513.tif 000006
【図５】
0003205513.tif 000007